(57)【要約】【課題】  感光性平版印刷版原版と平版印刷用ダミー版原版のための別々の現像処理ラインを用意することなく経済的に処理でき、感光性平版印刷版原版及び平版印刷用ダミー版原版が混在して供給される場合でも、双方に対し安定した製版品質を維持することが可能で、製版処理に要する時間を短縮できる自動現像機及び平版印刷版の製版方法を提供する。【解決手段】  本発明に係る自動現像機には、平版印刷版を搬送する第１搬送路と、第１搬送路に接続された現像部と、現像部に接続され、現像処理済みの平版印刷版が搬送される第２搬送路と、第２搬送路に接続された水洗部と、水洗部に接続され、水洗処理済みの平版印刷版が搬送される第３搬送路と、第１搬送路に接続され、平版印刷版を前記現像部に搬送することなく、第２の搬送路に搬送するための第４搬送路とが備えられている。【選択図】  図５
2006065169.tif 000002
【特許請求の範囲】
【請求項１】
平版印刷版を搬送する第１搬送路と、
前記第１搬送路に接続された現像部と、
前記現像部に接続され、現像処理済みの前記平版印刷版が搬送される第２搬送路と、
前記第２搬送路に接続された水洗部と、
前記水洗部に接続され、水洗処理済みの前記平版印刷版が搬送される第３搬送路と、
前記第１搬送路に接続され、前記平版印刷版を前記現像部に搬送することなく、前記第２の搬送路に搬送するための第４搬送路とが備えられたことを特徴とする自動現像機。
【請求項２】
前記現像部及び第４搬送路に接続され、前記平版印刷版を前記水洗部に搬送することなく第３の搬送路に搬送するための第５版走路が設けられていることを特徴とする請求項１に記載の自動現像機。
【請求項３】
前記第１搬送路には、該第１搬送路と前記現像部との間の搬送経路と前記第１搬送路と前記第４搬送路との間の搬送経路とのうち、一方の搬送経路に切り換え可能な経路切換部が設けられていることを特徴とする請求項１又は２に記載の自動現像機。
【請求項４】
前記第２搬送路には、前記平版印刷版を前記水洗部へ搬送する経路と前記第５搬送路へ搬送する経路とのうち一方の経路に切り換え可能な経路切換部が設けられていることを特徴とする請求項２又は３に記載の自動現像機。
【請求項５】
前記第１搬送路には、前記平版印刷版を加熱する加熱部と、プレ水洗処理を行うプレ水洗部とが設けられていることを特徴とする請求項１から４のうちいずれか１つに記載の自動現像機。
【請求項６】
前記第１搬送路には、前記加熱部及び／又は前記プレ水洗部での処理をすることなく前記平版印刷版を搬送する第６搬送路が設けられていることを特徴とする請求項５に記載の自動現像機。
【請求項７】
前記第３搬送路には、前記平版印刷版にガム処理を行うガム部と前記平版印刷版に乾燥処理を行う乾燥部とが接続され、前記ガム部及び／又は前記乾燥部での処理をすることなく前記平版印刷版を搬送する第７搬送路が設けられていることを特徴とする請求項１から６のいずれか１つに記載の自動現像機。
【請求項８】
前記第３搬送路と前記ガム部との間には前記平版印刷版を該ガム部へ搬送する経路と前記第７搬送路との間で切り換え可能な経路切換部が設けられ、前記ガム部と前記乾燥部との間には、前記平版印刷版を該乾燥部へ搬送する経路と前記第７搬送路との間で切り換え可能な経路切換部が設けられていることを特徴とする請求項７に記載の自動現像機。
【請求項９】
平版印刷版を上記請求項１から請求項８のうちいずれか１つに記載の自動現像機で処理することを特徴とする平版印刷版の製版方法。
【発明の詳細な説明】
【技術分野】
【０００１】
本発明は、本発明はＣＴＰ製版システムにより製版する平版印刷版用現像処理装置に関する。
【背景技術】
【０００２】
カラーの新聞印刷（多色印刷）において一部の紙面を２色又は１色で印刷を行う必要がある場合には、使用しない版胴には、全面が非画像部となるダミー版原版を取り付けて印刷を行うことがある。また、このような新聞印刷には、ＣＴＰ（コンピュータートゥ プレート）製版システムが用いられるが、これまで、このＣＴＰ製版システム専用のダミー版原版はなく、コンベンショナルＰＳ版用ダミー版原版（例えば、特許文献１、２、及び３参照。）をコンベンショナルＰＳ版用の自動現像機で現像処理して製版し、ダミー版原版として用いていた。
【０００３】
【特許文献１】特開平３−１７５０９０号公報
【特許文献２】特許２９５１９０７号公報
【特許文献３】特開平１１−２４０２６６号公報
【発明の開示】
【発明が解決しようとする課題】
【０００４】
しかしながら、このような方法は、不経済であり、しかも、感光性平版印刷版原版とダミー版原版とで現像処理部が異なることから現像処理が２ラインとなり、ＣＴＰ製版システムにおけるライン設置に広い場所も必要であり、更に、経済的な負担も大きいという問題を有していた。
【０００５】
また、ＣＴＰ製版システムにおいて１つの自動現像機で感光性平版印刷版原版とダミー版原版とを処理したとしても、両者の層構成や塗布されている材料や塗布量が異なり、感光性平版印刷版原版を現像処理するに必要な工程でも、ダミー版原版には不必要な工程にも関わらず、感光性平版印刷版原版と同様な現像処理を行わなければならないという問題が生じ、製版時間の無駄が生じていた。
【０００６】
本発明は、前記従来の課題を解決し、以下の目的を達成することを課題とする。
即ち、本発明の目的は、感光性平版印刷版原版と平版印刷用ダミー版原版とを共通のＣＴＰ製版システムで製版する自動現像機及び平版印刷版の製版方法であって、感光性平版印刷版原版と平版印刷用ダミー版原版のための別々の現像処理ラインを用意することなく経済的に処理でき、しかも、感光性平版印刷版原版及び平版印刷用ダミー版原版が混在して供給される場合であっても、双方に対し安定した製版品質を維持することが可能で、また、製版処理に要する時間の短縮を図ることができる自動現像機及び平版印刷版の製版方法を提供することにある。
【課題を解決するための手段】
【０００７】
本発明の上記目的は、下記の構成によって達成される。
（１）平版印刷版を搬送する第１搬送路と、
前記第１搬送路に接続された現像部と、
前記現像部に接続され、現像処理済みの前記平版印刷版が搬送される第２搬送路と、
前記第２搬送路に接続された水洗部と、
前記水洗部に接続され、水洗処理済みの前記平版印刷版が搬送される第３搬送路と、
前記第１搬送路に接続され、前記平版印刷版を前記現像部に搬送することなく、前記第２の搬送路に搬送するための第４搬送路とが備えられたことを特徴とする自動現像機。
（２）  前記現像部及び第４搬送路に接続され、前記平版印刷版を前記水洗部に搬送することなく第３の搬送路に搬送するための第５版走路が設けられていることを特徴とする上記（１）に記載の自動現像機。
（３）  前記第１搬送路には、該第１搬送路と前記現像部との間の搬送経路と前記第１搬送路と前記第４搬送路との間の搬送経路とのうち、一方の搬送経路に切り換え可能な経路切換部が設けられていることを特徴とする上記（１）又は（２）に記載の自動現像機。
（４）  前記第２搬送路には、前記平版印刷版を前記水洗部へ搬送する経路と前記第５搬送路へ搬送する経路とのうち一方の経路に切り換え可能な経路切換部が設けられていることを特徴とする上記（２）又は（３）に記載の自動現像機。
（５）  前記第１搬送路には、前記平版印刷版を加熱する加熱部と、プレ水洗処理を行うプレ水洗部とが設けられていることを特徴とする上記（１）から（４）のうちいずれか１つに記載の自動現像機。
（６）  前記第１搬送路には、前記加熱部及び／又は前記プレ水洗部での処理をすることなく前記平版印刷版を搬送する第６搬送路が設けられていることを特徴とする上記（５）に記載の自動現像機。
（７）  前記第３搬送路には、前記平版印刷版にガム処理を行うガム部と前記平版印刷版に乾燥処理を行う乾燥部とが接続され、前記ガム部及び／又は前記乾燥部での処理をすることなく前記平版印刷版を搬送する第７搬送路が設けられていることを特徴とする上記（１）から（６）のいずれか１つに記載の自動現像機。
（８）  前記第３搬送路と前記ガム部との間には前記平版印刷版を該ガム部へ搬送する経路と前記第７搬送路との間で切り換え可能な経路切換部が設けられ、前記ガム部と前記乾燥部との間には、前記平版印刷版を該乾燥部へ搬送する経路と前記第７搬送路との間で切り換え可能な経路切換部が設けられていることを特徴とする上記（７）に記載の自動現像機。
（９）  平版印刷版を上記（１）から（８）のうちいずれか１つに記載の自動現像機で処理することを特徴とする平版印刷版の製版方法。
【発明の効果】
【０００８】
本発明の現像処理装置によれば、感光性平版印刷版原版と平版印刷用ダミー版原版とを共通のＣＴＰ製版システムで製版する製版方法であって、感光性平版印刷版原版と平版印刷用ダミー版原版のための別々の現像処理ラインを用意することなく経済的に処理でき、しかも、感光性平版印刷版原版及び平版印刷用ダミー版原版が混在して供給される場合であっても、現像処理に要する時間の短縮を図ることができる現像処理方法を提供することが出来る。
【発明を実施するための最良の形態】
【０００９】
以下、発明の実施形態について詳細に説明する。
感光性平版印刷版原版及び平版印刷用ダミー版原版を、レーザー光照射による露光処理を行う露光処理部と、現像処理を行う現像処理部と、をこの順に備えたＣＴＰ製版システムを用いて製版する製版方法であって、前記露光処理部で識別された、感光性平版印刷版原版と平版印刷用ダミー版原版との現像処理を行う場合、例えば、感光性平版印刷版原版ではプレ水洗工程、現像工程、水洗工程、フィニッシャー工程、乾燥工程と処理するのに対し、平版印刷用ダミー版原版では前記プレ水洗工程が必要でない。このように、平版印刷版原版と平版印刷用ダミー版原版とで現像処理の工程が異なる場合に本発明の別搬送系を使用することで処理時間の短縮が可能となる。
【００１０】
具体的には、感光性平版印刷版原版を基本の搬送系で処理したあと、平版印刷用ダミー版原版を処理する場合、平版印刷用ダミー版原版はプレ水洗工程が不必要である。その為、露光処理部で版の種類を検出した信号を現像処理装置に送ることにより、露光処理部から現像処理部に入った平版印刷用ダミー版原版は、別の搬送系に振り分けプレ水洗工程を省略して搬送する。このとき搬送速度は基本の搬送速度より速く設定してある。現像工程前に基本の搬送系への切り換えを行い、現像工程に挿入する。これにより、従来の基本搬送系の処理時間に比べ、プレ水洗工程を別搬送系で搬送することにより処理時間の短縮が図られる。
【００１１】
また、他版材は水洗工程、フィニッシャー工程、乾燥工程だけが必要な場合、露光処理部から現像処理に入った時、別搬送系に振り分け基本搬送系より早い速度でプレ水洗工程、現像工程を省略し水洗工程前迄搬送する、ここで基本搬送系へ切り換えし水洗工程に挿入する。これにより、従来の基本搬送系の処理時間に比べ、プレ水洗工程、現像工程を別搬送系で搬送することにより処理時間の短縮が図られる。
【００１２】
例えば、検版目的でフィニッシャー工程、乾燥工程が必要でない場合、露光処理部で目的の設定を行い、露光処理部終了後、現像処理部版送系で処理を開始する。水洗工程後フィニッシャー工程前で別搬送系に切り換え、フィニッシャー工程、乾燥工程を省略し搬送することにより処理時間の短縮が図られる。
【００１３】
なお、本明細書においては、版面形成前の版材を平版印刷版原版（印刷版原版）、捨て版原版と称し、版面形成後の版材を平版印刷版（印刷版）、捨て版と称することとする。
【００１４】
（ＣＴＰ製版システム）
まず、本発明における実施形態の一例のＣＴＰ製版システムについて説明する。
本発明におけるＣＴＰ製版システムは、少なくとも、感光性平版印刷版原版及び平版印刷用ダミー版原版を、レーザー光照射による露光処理を行う露光処理部と、現像処理を行う現像処理部と、をこの順に備える。
【００１５】
以下、本発明におけるＣＴＰ製版システムの例示的一態様について、図面を参照して詳細に説明する。ここで、図１は、本発明に係るＣＴＰ製版システムの例示的一態様の概略構成を示す斜視図である。
【００１６】
図１に示されるように、ＣＴＰ製版システム１００は、レーザー光照射による露光処理を行う露光処理部としてのプレートセッター１０と、必要であれば、加熱処理部としての加熱オーブン４０と、現像処理を行う現像処理部としての自動現像機６０と、を備えている。また、これら各部は、制御装置９５としてのコンピュータに接続されており、更に上位のシステムとリンクするためのコンピューターシステムが構築されている。
【００１７】
本形態においては、プレートセッター１０には、感光性平版印刷版原版やダミー版原版が露光部へと供給される前に、その両版を識別するためのカラーセンサー（図示せず）が設けられており、この識別結果を制御装置９５に伝える。制御装置９５は、この識別結果を基に、ＣＴＰ製版システム１００を構成している各部の動作を版の種類に応じて変更可能にするために、処理する版が感光性平版印刷版原版及びダミー版原版の何れであるかを示す識別信号を、プレートセッター１０、加熱オーブン４０、及び自動現像機６０にそれぞれ出力する。
【００１８】
プレートセッター１０は、例えば、感光性平版印刷版原版をレーザー光照射によって露光する露光部と、この露光部への印刷版原版の供給及び排出を行うプレート給排機構と、カラーセンサー機構と、これらを統括して制御する制御部（制御手段）と、版面形成前の印刷版原版やダミー版原版を格納しておくプレート収納カセットと、印刷版原版やダミー版原版の表面を保護するために密着装備されている合紙を剥がして廃棄するための合紙ゴミ箱と、を備えた構成である。
また、処理する版が印刷版原版かダミー版原版の何れかであるかを、制御装置９５から送信された識別信号によって、プレートセッター１０内の制御部が検知するようになっている。
【００１９】
前記露光部としては、プレート給排機構から供給される印刷版原版を露光用ドラムの外周に巻き付けて、露光用ドラムを回転させながら、巻き付けた印刷版原版の表面にレーザ光源からレーザ光を照射して、画像の露光を行うアウタードラム方式の他、ドラム内面に印刷版原版を吸着装備して、ドラムの中心に廃した光源を回転させて露光するインナードラム方式のもの、更には、印刷版原版を平面状のベッドに固定しておいて、レーザ光源を縦横に操作することで露光するフラットベッド方式のものも採用可能である。
【００２０】
また、露光に用いるレーザ光源は、ガイドレールによって、ドラムの軸方向に移動走査可能にされていて、制御装置９５を構成するコンピュータで処理した画像情報に基づいて、レーザ照射を行う。レーザ光による走査は、例えば、ドラムの回転方向が主走査方向、ドラムの軸方向が副走査方向とされる。
【００２１】
また、本発明におけるレーザ光源としては、レーザー光照射が可能であれば制限なく用いられ、好ましくは、７００〜１２００ｎｍの赤外領域で発振する高出力の半導体レーザや、１０６４ｎｍのＹＡＧレーザが知られているが、特に、８３０ｎｍの半導体レーザが高出力で好適である。
【００２２】
プレート給排機構は、プレート収納カセットに収納されている印刷版原版を露光用ドラムに移す。また、プレート収納カセットに収納されている版がダミー版原版の場合は、露光処理を行う必要がないため、次の工程へと搬出する。なお、ダミー版原版も露光用ドラムに装着され、露光されずに、装着が解除されてから次の工程へと搬出されてもよい。
【００２３】
各原版の表面に装着されている合紙は、露光される前に取り除かれる必要がある。本発明においては、印刷版原版やダミー版原版の表面に合紙が装着されていても、通常、白色である合紙は、前記カラーセンサー機構により両版と識別することができる。そのため、所定の手段を用いることで、合紙を取り除くことができる。
【００２４】
ここで、版面に当接している合紙を取り除く手段としては、吸着手段を利用するタイプ、また、風圧で合紙を吹き飛ばすタイプのものや、合紙への帯電を利用して版面から剥離させるタイプのものなど、公知の各種の機構を利用することが可能である。取り除かれた合紙は、合紙ゴミ箱に廃棄処理される。
【００２５】
露光処理を済ませた印刷版原版は、露光用ドラムからプレート搬出機構により次の工程へと搬出される。また、ここで、印刷版原版の種類によっては、プレートセッター１０と自動現像機６０との間に加熱オーブン４０を導入してもよい。更に、両版を移載する際に、版の種類（印刷版原版とダミー版原版）や合紙の有無を、各所に設けたセンサ等によってチェックしても構わない。
【００２６】
以上のプレートセッター１０として、市販装置では、例えば、ＣｒｅｏＳｃｉｔｅｘ社ＴｒｅｎｎｄｓｅｔｔｅｒＮｅｗｓ２００、ＫＰＧ社ＮｅｗｓｓｅｔｔｅｒＴＨ１８０、富士写真フイルム社ＬｕｘｅｌＴ−９０００ＣＴＰ、Ｋｒａｕｓｅ社ＬａｓｅｒＳｔａｒ１７０Ｔ、大日本スクリーン社ＨＳ、松下電送社サーマルセッターＧＸ９９００、ＮＥＣ社サーマルセッターＡｍｚｉｓｅｔｔｅｒ、Ｃｒｅｏ社サーマルセッター等に、少なくとも、版の種類を識別するためのカラーセンサー機構を設け、該カラーセンサーによる識別結果を基に次なる処理方法を判断し得る制御装置９５から識別信号を受信可能に改良することで、使用することが可能である。
【００２７】
以上のプレートセッター１０を用いた本発明の製版方法における露光処理について具体的に説明する。
まず、プレート収納カセットに収納された印刷版原版及びダミー版原版の表面に合紙が装着されている場合は、自動合紙取り機構によって合紙が剥離除去される。そして、合紙が除去された版が印刷版原版の場合は、露光部の露光用ドラムに装着されて、レーザ光源によるレーザー光照射によって画像露光される。そして、露光処理を終えた露光用ドラム上の印刷版原版は、露光用ドラムから剥離され、次工程へと搬出される。一方、合紙が除去された版がダミー版原版の場合は、露光処理されずに、次工程へと搬出される。
【００２８】
加熱オーブン４０は、場合により必要となる。例えば、レーザー光露光で発生した感光層中の酸を用い加熱により架橋させて画像部を形成したり、レーザー光露光で発生した感光層中のラジカルを用い加熱により重合を促進させ画像部を形成することができる。
【００２９】
具体的には、加熱オーブン４０は、図２に示すように、版に所定の加熱を行うための加熱手段４２を有する加熱ゾーン４３と、加熱処理後の版を冷却するファン４４等を有する空冷ゾーン４５と、これら加熱ゾーン４３と空冷ゾーン４５とに版を順次搬送するための金属製の搬送ベルトを有するは搬送手段としての搬送コンベヤ４６と、該コンベヤ４６の搬送ベルトを懸架する搬送ローラ４７を駆動するモータ駆動部４８と、少なくともこのモータ駆動部４８の動作を制御する制御部５１と、を備えた構成である。この構成によれば、モータ駆動部４８が搬送ローラ４７の少なくともいずれかを駆動することで搬送コンベヤ４６の搬送ベルトが移動して、搬送ベルト上に載置された版を、プレートセッター１０側から加熱ゾーン４３、空冷ゾーン４５を通過して、自動現像機６０側に搬出するようになる。
【００３０】
なお、搬送コンベヤ４６による搬送速度が可変となるように、モータ駆動部４８は、回転速度が増減可能なモータ駆動回路を採用していてもよい。
【００３１】
制御部５１は、制御装置９５から送信された識別信号によって、処理する版が印刷版原版又はダミー版原版の何れであるかを検知して、検知した版の種類に応じて、モータ駆動部４８を制御することで、加熱オーブン４０内での版の通過速度を切り換える。従って、制御部５１が搬送速度の速度切り換え手段として機能する。
つまり、ダミー版原版の場合は、印刷版原版のように露光した感光層が無いので、印刷版原版と同じ加熱は必要がない。そこで、ダミー版原版の場合は、印刷版原版の場合よりも通過速度を高め、高速搬送するように設定する。
【００３２】
この加熱オーブン４０としては、市販品では、例えば、Ｗｉｓｃｏｎｓｉｎ社ＯｖｅｎＳＰＣシリーズ、Ｕｎｉｇｒａｐｈ社ＯｖｅｎＣＰＯシリーズに、前記識別信号に応じて版の通過速度を変更する手段を追加することで、これを使用することができる。
【００３３】
自動現像機６０は、図３に自動現像機の概略的な一構成例を示すように、例えば、印刷版原版やダミー版原版を現像処理するための現像部６１、現像後の版に付着した現像液を洗い流す水洗部６３、ガム液を塗布するフィニッシャー部６５、及びガム液塗布後の版を乾燥する乾燥部６７が、この順で配設されている。
【００３４】
そして、現像部６１の挿入口７０には、版の搬入を検知するセンサ６８が装備されていて、該センサ６８によって版の搬入が検出されると、搬送手段７２によって、現像部６１、水洗部６３、フィニッシャー部６５、乾燥部６７に順に送られて、排出口７４から排出される。なお、場合により、加熱オーブン４０の代わりに現像部６１の前段にプレヒート部を設けてもよし、加熱部分がなくてもよい。
【００３５】
搬送手段７２は、複数個の搬送ローラ７６によって、版を所定の経路で搬送するようにしたものである。搬送手段７２を構成している各搬送ローラ７６は、モータ駆動部７８により駆動される。また、モータ駆動部７８の動作は、制御部８０によって制御されるようになっている。なお、搬送手段７２における搬送速度が可変となるように、モータ駆動部７８は、搬送速度が可変となるように、モータ駆動部７８は、回転速度が増減可能なモータ駆動回路を採用していてもよい。
【００３６】
制御部８０は、制御装置９５から送信された識別信号によって、処理する版が印刷版原版かダミー版原版の何れであるかを検知して、検知した版の種類に応じて、モータ駆動部７８を制御することで、自動現像機６０内での版の通過速度、特に、現像部６１での通過速度を切り換える。従って、制御部８０が搬送速度の速度切り換え手段として機能する。
つまり、ダミー版原版の場合は、表面を保護するために樹脂層を有しているが、その塗布量は印刷版原版の感光層のように多くないので、印刷版原版と同じ現像時間は必要ない。そこで、ダミー版原版の場合には、印刷版原版の場合よりも現像部６１における通過速度を高め、高速搬送するように設定する。
【００３７】
ここで、自動現像機６０の各部について、以下に補足説明する。
現像部６１では、挿入口７０に供給される印刷版原版及びダミー版原版等の版３を現像層８１に貯めた所定濃度のアルカリ現像液８２中に挿通させ、アルカリ現像液８２中に配備されたモルトンローラ又はブラシローラ６４で版の表面を掻き擦ることで、印刷版原版の場合は未露光部を除去し、ダミー版原版の場合は、非感光性樹脂層を除去する。
現像層８１には、版の処理等に応じたアルカリ現像液８２の劣化・消耗を補うために、現像補充原液（濃縮現像液）や薄め液（通常は、蒸留水）を適時補充する。また、図示はしていないが、現像層８１内のアルカリ現像液８２は、ヒータやクーラーによって温度制御される。
【００３８】
なお、現像補充原液や薄め液を補充する際、印刷版原版とダミー版原版とでは塗布している素材や塗布量が異なるために、アルカリ現像液８２の常に一定の補充量ではｐＨや電導度等を一定に管理することができない。そこで、本発明においては、印刷版原版及びダミー版原版のそれぞれの版の処理量（処理割合）に応じて、現像補充原液や薄め液等の液補充量を変更することにより、現像層８１内のアルカリ現像液８２のｐＨや電導度等を適正な状態に維持することができる。
【００３９】
より具体的には、制御部８０は、制御装置９５から送信された識別信号によって、処理する版が印刷版原版かダミー版原版の何れであるかを検知して、検知した版の種類に応じて、現像補充原液や薄め液等の液補充量を制御することで、現像層８１内のアルカリ現像液８２のｐＨや電導度等を適正な状態に維持する。これにより、ダミー版原版の現像処理によってアルカリ現像液８２の性状が不安定になることを防止することができる。
【００４０】
つまり、ダミー版原版の場合は、表面を保護するために樹脂層を有しているが、その塗布量は印刷版原版の感光層のように多くないので、印刷版原版と同じ量の液補充量は必要ない。そこで、制御部８０が実施する液補充量は、現像処理する版がダミー版原版であるときは液補充量を印刷版原版の場合より少なく設定することで、版の構成成分の相異に起因するアルカリ現像液８２の劣化度の違いを補う。
【００４１】
また、自動現像機６０の電源のＯＮ、ＯＦＦに拘わらず、現像層８１内のアルカリ現像液８２は大気中の炭酸ガスとの接触でｐＨが自然に低下するので、印刷版原版及びダミー版原版の処理量とは別に、炭酸ガスで低下したｐＨを一定に回復させる為に、経過時間に応じて前述の現像補充原液及び薄め液の補充を行う。
【００４２】
水洗部６３では、現像後の版の表面に残っているアルカリ現像液を除去し、次工程のフィニッシャー部６５へのアルカリ液持ち込みを減少させる目的で、版をノズル８４から噴射する水で水洗する。よって、特に印刷版原版及びダミー版原版を区別することなく、水洗用の水を貯めた水洗槽８３には、貯留する水洗水が劣化しないように給水槽（図示せず）から洗浄水の補充が適宜になされる。
また、自動現像機６０の電源をＯＮにしている場合やＯＦＦにしている場合、水が自然に揮発する分を補うように、水洗槽８３には揮発する分と同じ量の水洗水を補給してもよい。
【００４３】
フィニッシャー部６５では、版の表面に規定濃度のガム８５を塗布し、アルカリ性となった印刷版原版の感光層を酸性に戻して現像による画像部のダメージを抑制すると共に、非画像部の汚れや傷を防止する。規定濃度のガム８５は、画像部と非画像部に関係なく全面に塗布されるため、塗布するガム８５を貯留するガム貯留槽８６には、印刷版原版及びダミー版原版を区別することなく、版の処理量に応じてガム補充原液及び希釈液を補充すればよい。
なお、自動現像機６０の電源をＯＮにしている場合やＯＦＦにしている場合、自然に水が揮発するために、この場合も、印刷版原版及びダミー版原版の処理量とは別に揮発した水と同じ量の水を補充することが好ましい。
【００４４】
本態様の場合、フィニッシャー部６５のガム貯留槽８６への希釈液の補充は、水洗部６３へ水を供給するポンプ８４が兼ねており、この共用によって、構成の簡略化が図られている。また、フィニッシャー部６５のガム貯留槽８６へのガム補充原液の補充は、ガム補充原液を貯めた図示しないガム原液貯留槽から行われる。以下、本実施形態において、フィニッシャー部をガム部ともいう。
以上の水洗水及びガムの補充は、版の処理量に応じた液補充が実現されるように、前記制御部８０、又は同様の制御部によって制御される。
【００４５】
乾燥部６７は、ブロワー等の温風供給手段や発熱手段等の乾燥手段９１が設けられており、温風を印刷版及びダミー版に吹き付けて、版に塗布されたガム液を乾燥させている。乾燥部６７により乾燥された印刷版及びダミー版は排出口７４から排出される。
【００４６】
以下に、本発明に係る自動現像機の一構成例について説明する。図４は、本発明に係る自動現像機の一実施形態を示す説明図である。この構成の自動現像機１は、プレ水洗部を有しており、酸素遮断性のオーバーコート層を有する重合性感光性印刷版原版の場合に使用される。図４に示されるように、自動現像機１は、加熱部１１、プレ水洗部１２、現像部１３、水洗部１４、ガム部１５、及び乾燥部１６を順次有してなる。なお、加熱部１１は、場合によっては無くてもかまわない。
【００４７】
プレ水洗部１２では、重合性感光性印刷版原版の酸素遮断層のオーバーコート層を水洗除去する。現像処理が進むにつれて、プレ水洗部１２の水洗槽に溶解した水溶性樹脂濃度が増加し、溶解除去性が劣り、カスが発生するために、水の補充が必要である。一方、ダミー版原版には酸素遮断層が設けられていないため、ダミー版原版が処理される場合には、水の補充は不要である。
本発明においては、重合性感光性印刷版原版及びダミー版原版のそれぞれの版の処理量（処理割合）に応じて水の補充量を変更することで、プレ水洗部１２の水洗槽内の水を適正な状態に維持することができる。
なお、自動現像機１の電源をＯＮにしている場合やＯＦＦにしている場合に、プレ水洗部１２の水洗槽から水が自然に揮発するために、重合性感光性印刷版原版及びダミー版原版の処理量とは別に揮発する水と同じ量の水を補充することが好ましい。
【００４８】
現像部１３では、アルカリ現像液により重合性感光性印刷版原版の未露光部を除去すると共に、ダミー版の保護層（樹脂層）を除去する。重合性感光性印刷版原版とダミー版とでは塗布している素材や塗布量が異なるために、同じ補充量では、アルカリ現像液のｐＨを一定に管理することができない。そのため、上述の図３に示される自動現像機６０における現像部６１と同様に、重合性感光性印刷版原版及びダミー版原版のそれぞれの版の処理量（処理割合）に応じて、水、現像補充原液等の補充量を変更することにより、現像部１３のアルカリ現像液のｐＨ等を適正な状態に維持することができる。
【００４９】
なお、自動現像機１の電源をＯＮにしている場合やＯＦＦにしている場合、大気中の炭酸ガスでｐＨが自然に低下するので、重合性感光性印刷版原版及びダミー版原版の処理量とは別に炭酸ガスで低下したｐＨを一定に回復させる為の補充を行うことが好ましい。
【００５０】
水洗部１４では、現像後の版の表面に残っているアルカリ現像液を除去し、次工程のガム部１５へのアルカリ液持ち込みを減少させる目的で、版を水洗する。よって、特に重合性感光性印刷版原版及びダミー版原版を区別することなく、水洗水が劣化しないように同じ量を補充すればよい。なお、自動現像機１の電源をＯＮにしている場合やＯＦＦにしている場合、水が自然に揮発する分を補うように、揮発する分と同じ量の水を別に補充することが好ましい。
【００５１】
ガム部１５では、ガムを塗布し、アルカリ性となった印刷版原版の感光層を酸性に戻して現像による画像部のダメージを抑制すると共に非画像部の汚れや傷を防止する。ガムは、画像部と非画像部に関係なく全面に塗布されるため、重合性感光性印刷版原版及びダミー版原版を区別することなく、同じ量のガム補充原液等を補充すればよい。なお、自動現像機の電源をＯＮにしている場合やＯＦＦにしている場合、自然に水が揮発するために、重合性感光性印刷版原版及びダミー版原版の処理量とは別に揮発した水と同じ量の水を補充することが好ましい。
【００５２】
乾燥部１６は、温風供給手段や発熱手段等の乾燥手段が設けられており、温風を印刷版及びダミー版に吹き付けて、版に塗布されたガム液を乾燥させる。
【００５３】
次に、図４及び図５を参照して、本実施形態の自動現像機の別搬送系について説明する。図５は、図４に示す自動現像機の処理の流れを概略的に示したブロック図である。自動現像機１は、自動現像機１の版押入口と版出口に搬送方向を切り換え可能な経路切換部２１を備えている。また、自動現像機１は、加熱部１１とプレ水洗部１２の間、プレ水洗部１２と現像部１３の間、現像部１３と水洗部１４の間、水洗部１４とガム部１５の間、ガム部１５と乾燥部１６との間に平版印刷版の搬送方向を切り換え可能な経路切換部２３を備えている。この図の自動現像機１の状態では、平版印刷版が加熱部１１によって加熱処理される経路に搬送されずスキップ後、プレ水洗部１２から挿入し以後の工程全てを行い排出される。
【００５４】
別搬送系は、版を順次搬送するためのゴム製の搬送ベルトを有する搬送手段としての搬送コンベヤ２２と、該コンベヤ２２の搬送ベルトを懸架する図示しない搬送ローラーを駆動するモーター駆動部２４と、少なくともこのモーターを駆動部２５の動作を制御する制御部２４と、を備えた構成である。
なお、搬送コンベヤ２２による搬送速度が可変となるように、モーター駆動部２４は、回転速度が増減可能なモーター駆動回路を採用しても良い。
【００５５】
更に、自動現像機１の版押入口と版出口に設けられた切換部２１は、金属板を用い図示しないソレノイドやエアーシリンダー等で角度を変更できる。切換部２１が、少なくとも該切換部２１の金属板の動作を制御する制御部２６に接続されている。
【００５６】
各工程間に設けた経路切換部２３は、金属板を用い、切り換えが必要でない場合搬送ベルト２２と同搬送位置に設定されている。搬送方向の切り換えが必要な場合は、図示しないソレノイドやエアーシリンダー等で角度を変更できる。変更角度によっては、図示しないフリーローラーを設けスムースな搬送方向の変更ができる。少なくともこの金属板、フリーローラーの動作を制御する制御部２６と、を備えた構成である。
【００５７】
例えば、重合性感光性印刷版原版のように各工程全てを使用して処理する場合、図示しない露光処理装置から信号を受け取り、該平版印刷版を経路切換部２１により基本搬送系に導き処理する。
【００５８】
このとき、図５に示すように、平版印刷版は、加熱部１１とプレ水洗部１２とを有する第１搬送路に搬送され、該第１搬送路に接続された現像部１３に搬送されて現像処理が行われる。そして、現像処理された平版印刷版が、現像部１３に接続された第２搬送路に搬送され、該第２版走路に接続された水洗部１４に搬送され水洗処理が行われる。その後、水洗処理された平版印刷版が、水洗部１４に接続された第３搬送路に搬送される。第３搬送路には、平版印刷版にガム処理を行うガム部１５が接続され、該ガム部１５の搬送方向下流側に版印刷版に乾燥処理を行う乾燥部１６が接続されている。こうして、ガム処理と乾燥処理が行われた平版印刷版は版出口から搬出される。
【００５９】
本実施形態の自動現像機１は、平版印刷版を現像部１３に搬送することなく第２の搬送路に搬送する第４搬送路を備えている。平版印刷版を現像部１３に搬送せず、スキップする場合には、プレ水洗部１２から搬送されてきた平版印刷版を、プレ水洗部１２と現像部１３との間に設けられた経路切換部２３を制御部２６で切り換えることによって、コンベア２２側へ搬送して現像部１３への搬送を回避する。そして、現像部１３と水洗部１４との間の経路切換部２３を切り換えることで、平版印刷版を水洗部１４側へ搬送することができる。ここで、現像部１３と水洗部１４との間の経路切換部２３を切り換えず、水洗部１４をスキップして平版印刷版を搬送させることもできる。
【００６０】
このように、自動現像機１は、搬送させる版に応じて、経路切換部２１，２３を制御することで、版に必要な処理を行う工程のみに搬送させることができ、工程をスキップしてコンベア２２で搬送する際には、処理時の搬送速度に比較して速い速度で搬送させることができる。
【００６１】
自動現像機１は、第１搬送路の下流側（プレ水洗部１２と現像部１３との間）に位置する経路切換部２３によって、該第１搬送路と現像部１３との間の搬送経路と第１搬送路と第４搬送路との搬送経路とのうち、一方の搬送経路に切り換え可能な構成である。
【００６２】
また、自動現像機１は、現像部１３及び第４搬送路の下流側に接続され、現像部１３と水洗部１４との間の経路切換部を切り換えることで、平版印刷版を水洗部１４へ搬送させずにコンベア２２で搬送させるための第５搬送路が設けられていてもよい。
【００６３】
第１搬送路には、加熱部１１及び／又はプレ水洗部１２での処理をすることなく平版印刷版を搬送する第６搬送路が設けられていてもよい。こうすることで、必要に応じて、版押入口の経路切換部２１及び／又は加熱部１１とプレ水洗部１２との間に位置する経路切換部２３を制御し、加熱部１１及び／又はプレ水洗部１２をスキップして第６搬送路を搬送させ、必要ない処理を省略することができ、処理時間を短縮することができる。
【００６４】
第３搬送路には、ガム部１５及び／又は乾燥部１６での処理をすることなく平版印刷版を搬送する第７搬送路が設けられている。第７搬送路に搬送するには、例えば、水洗部１４とガム部１５との間の経路切換部を制御することで、平版印刷版をコンベア２２側へ搬送させ、ガム部１５へ平版印刷版を搬送させずにガム処理を省略することができる。
【００６５】
例えば、ダミー版原版にように現像部１３、水洗部１４、ガム部１５、乾燥部１６の工程のみを使用して処理する場合には、図示しない露光処理装置から信号を受け取り、版押入口の直ぐ下流に位置する経路切換部２１により平版印刷版を別搬送系に導き、加熱部１１、プレ水洗部１２をスキップしてコンベア２２で搬送する。この搬送速度は基本搬送系より速い速度に設定されていることが好ましい。ダミー版原版が現像部１３前に来ると、プレ水洗部１２と現像部１３との間に設けられた経路切換部２３により現像部１３の入り口側に搬送経路を切り換え、平版印刷版を現像部１３から処理し、水洗部１４、ガム部１５、乾燥部１６を経て処理される。
【００６６】
例えば、重合性感光性印刷版原版を検版のため水洗部１３の後に取り出す場合には、図示しない処理設定シーケンスにより信号を受け取り、版押入口側の経路切換部２１により基本搬送系に導き、加熱部１１、プレ水洗部１２、現像部１３まで処理を行い、平版印刷版原版がガム部１４前に来ると、現像部１３とガム部１４との間に設けられた経路切換部２３により、コンベア２２側に搬送経路を切り換え、ガム部１５、乾燥部１６をスキップ後、版出口の上流側に設けられた経路切換部２１により排版され処理される。
【００６７】
（現像液）
前記自動現像機６０及び自動現像機１において、平版印刷版とダミー版原版との両方を効率よく現像する観点から、下記に示す各成分を含有する現像液を用いることが好ましい。なお、この現像液は、現像補充液（現像補充原液）として用いることもできる。かかる現像液としては、芳香族アニオン界面活性剤を含有していることが好ましい。
【００６８】
（芳香族アニオン界面活性剤）
本発明における現像液に用いられる芳香族アニオン界面活性剤は、現像促進効果、印刷版原版の感光層成分及びダミー版原版の保護層成分の現像液中での分散安定化効果がある。本発明に用いられる芳香族アニオン界面活性剤としては、下記一般式（Ａ）又は一般式（Ｂ）で表される化合物であることが好ましい。
【００６９】
【化１】
2006065169.tif 000003
【００７０】
上記一般式（Ａ）又は一般式（Ｂ）において、Ｒ1、Ｒ3はそれぞれ、直鎖又は分岐鎖の炭素原子数１〜５のアルキレン基を表し、具体的には、エチレン基、プロピレン基、ブチレン基、ペンチレン基等が挙げられ、中でも、エチレン基、プロピレン基が特に好ましい。
ｍ、ｎはそれぞれ、１〜１００から選択される整数を表し、中でも、１〜３０が好ましく、２〜２０がより好ましい。また、ｍが２以上の場合、複数存在するＲ3は同一でも異なっていてもよい。同じく、ｎが２以上の場合、複数存在するＲ5は同一でも異なっていてもよい。
【００７１】
Ｒ2、Ｒ4はそれぞれ、直鎖又は分岐鎖の炭素数１〜２０のアルキル基を表し、具体的には、メチル基、エチル基、プロピル基、ブチル基、ヘキシル基、ドデシル基等が挙げられ、中でも、メチル基、エチル基、ｉｓｏ−プロピル基、ｎ−プロピル基、ｎ−ブチル基、ｉｓｏ−ブチル基、ｔｅｒｔ−ブチル基が特に好ましい。
ｐ、ｑはそれぞれ、０〜２から選択される整数を表す。Ｙ1、Ｙ2は、それぞれ単結合又は炭素原子数１〜１０のアルキレン基を表し、具体的には、単結合、メチレン基、エチレン基が好ましく、特に単結合が好ましい。
（Ｚ1）r+、（Ｚ2）s+はそれぞれ、アルカリ金属イオン、アルカリ土類金属イオン、或いは、無置換又はアルキル基で置換されたアンモニウムイオンを表し、具体例としては、リチウムイオン、ナトリウムイオン、カリウムイオン、マグネシウムイオン、カルシウムイオン、アンモニウムイオン、炭素数１〜２０のアルキル基・アリール基、アラルキル基が置換した２級〜４級のアンモニウムイオンなどが挙げられ、特にナトリウムイオンが好ましい。ｒ、ｓはそれぞれ、１又は２を表す。
以下に、具体例を示すが、本発明はこれらに限定されるものではない。
【００７２】
【化２】
2006065169.tif 000004
【００７３】
【化３】
2006065169.tif 000005
【００７４】
これら芳香族アニオン界面活性剤は、単独で使用してもよいし、２種以上を適宜組み合わせて使用してもよい。芳香族アニオン界面活性剤の添加量は、現像液中における芳香族アニオン界面活性剤の濃度が１．０〜１０質量％の範囲とすることが好ましく、より好ましくは２〜１０質量％の範囲とすることが効果的である。ここで、含有量が１．０質量％以下であると、現像性低下及び感光層成分の溶解性低下を招き、含有量が１０質量％以上であると、印刷版の耐刷性を低下させる。
【００７５】
本発明に係る現像液には、前記芳香族アニオン界面活性剤以外に、その他の界面活性剤を併用してもよい。その他の界面活性剤としては、例えば、ポリオキシエチレンナフチルエーテル、ポリオキシエチレンアルキルフェニルエーテル、ポリオキシエチレンラウリルエーテル、ポリオキシエチレンセチルエーテル、ポリオキシエチレンステアリルエーテル等のポリオキシエチレンアルキルエーテル類、ポリオキシエチレンステアレート等のポリオキシエチレンアルキルエステル類、ソルビタンモノラウレート、ソルビタンモノステアレート、ソルビタンジステアレート、ソルビタンモノオレエート、ソルビタンセスキオレエート、ソルビタントリオレエート等のソルビタンアルキルエステル類、グリセロールモノステアレート、グリセロールモノオレート等のモノグリセリドアルキルエステル類等のノニオン界面活性剤である。
これらその他の界面活性剤の現像液中における含有量は有効成分換算で、０．１から１０質量％が好ましい。
【００７６】
（２価金属に対するキレート剤）
本発明に係る現像液には、例えば、硬水に含まれるカルシウムイオンなどによる影響を抑制する目的で、２価金属に対するキレート剤を含有させることが好ましい。２価金属に対するキレート剤としては、例えば、Ｎａ2Ｐ2Ｏ7、Ｎａ5Ｐ3Ｏ3、Ｎａ3Ｐ3Ｏ9、Ｎａ2Ｏ4Ｐ（ＮａＯ3Ｐ）ＰＯ3Ｎａ2、カルゴン（ポリメタリン酸ナトリウム）などのポリリン酸塩、例えばエチレンジアミンテトラ酢酸、そのカリウム塩、そのナトリウム塩、そのアミン塩；ジエチレントリアミンペンタ酢酸、そのカリウム塩、ナトリウム塩；トリエチレンテトラミンヘキサ酢酸、そのカリウム塩、そのナトリウム塩；ヒドロキシエチルエチレンジアミントリ酢酸、そのカリウム塩、そのナトリウム塩；ニトリロトリ酢酸、そのカリウム塩、そのナトリウム塩；１，２−ジアミノシクロヘキサンテトラ酢酸、そのカリウム塩、そのナトリウム塩；１，３−ジアミノ−２−プロパノールテトラ酢酸、そのカリウム塩、そのナトリウム塩などのようなアミノポリカルボン酸類の他２−ホスホノブタントリカルボン酸−１，２，４、そのカリウム塩、そのナトリウム塩；２−ホスホノブタノントリカルボン酸−２，３，４、そのカリウム塩、そのナトリウム塩；１−ホスホノエタントリカルボン酸−１，２、２、そのカリウム塩、そのナトリウム塩；１−ヒドロキシエタン−１，１−ジホスホン酸、そのカリウム塩、そのナトリウム塩；アミノトリ（メチレンホスホン酸）、そのカリウム塩、そのナトリウム塩などのような有機ホスホン酸類を挙げることができ、中でも、エチレンジアミンテトラ酢酸、そのカリウム塩、そのナトリウム塩、そのアミン塩；エチレンジアミンテトラ（メチレンホスホン酸）、そのアンモニウム塩、そのカリウム塩、；ヘキサメチレンジアミンテトラ（メチレンホスホン酸）、そのアンモニウム塩、そのカリウム塩が好ましい。
このようなキレート剤の最適量は使用される硬水の硬度及びその使用量に応じて変化するが、一般的には、使用時の現像液中に０．０１〜５質量％、より好ましくは０．０１〜０．５質量％の範囲で含有させる。
【００７７】
（アセチレンアルコール及びアセチレングリコール）
本発明に用いられる現像液には、現像液の消泡剤として、アセチレンアルコール及びアセチレングリコールから選択される少なくとも１種の化合物を添加することが好ましい。これらの化合物は単独で使用してもよいし、双方を併用してもよい。
アセチレンアルコールとは、分子内にアセチレン結合（三重結合）をもつ不飽和アルコールである。また、アセチレングリコールとは、アルキンジオールとも呼ばれ、分子内にアセチレン結合（三重結合）をもつ不飽和グリコールである。
具体的には、以下の一般式（Ｃ）、（Ｄ）で示されるものが挙げられる。
【００７８】
【化４】
2006065169.tif 000006
【００７９】
上記一般式（Ｃ）及び（Ｄ）において、Ｒ5〜Ｒ7はそれぞれ、炭素原子数１〜５の直鎖又は分岐鎖のアルキル基を表し、ａ＋ｂは０〜３０の数である。炭素原子数１〜５の直鎖又は分岐鎖のアルキル基としては、メチル基、エチル基、イソプロピル基、イソブチル基、イソペンチル基などが挙げられる。
以下に、具体例を示すが、本発明はこれらに限定されるものではない。
【００８０】
【化５】
2006065169.tif 000007
【００８１】
【化６】
2006065169.tif 000008
【００８２】
これらのアセチレンアルコール、アセチレングリコールは市場で入手することができ、市販品として例えば、ＡｉｒＰｒｏｄｕｃｔｓ ａｎｄ ＣｈｅｍｉｃａｌｓＩｎｃ．の商品名サフィノールが知られている。
市販品の具体例には、上記（３）としてサフィノール６１、上記（４）としてオルフィンＢ、上記（５）としてオルフィンＰ、上記（７）としてオルフィンＹ、上記（８）としてサフィノール８２、上記（９）としてサフィノール１０４、オルフィンＡＫ−０２、上記（１０）としてサフィノール４００シリーズ、上記（１１）としてサフィノールＤＦ−１１０などがある。
現像液中の消泡剤の添加量は、消泡効果及び耐刷性の観点から、０．０００１質量％以上であることが好ましく、特に好ましくは、０．０００５〜０．１質量％である。
【００８３】
また、本発明に係る現像液には、現像調整剤として有機酸のアルカリ金属塩類、無機酸のアルカリ金属塩類を加えてもよい。例えば、炭酸ナトリウム、同カリウム、同アンモニウム、クエン酸ナトリウム、同カリウム、同アンモニウムなどを単独若しくは２種以上を組み合わせて混合して用いてもよい。
【００８４】
（アルカリ剤）
本発明に係る現像液に用いられるアルカリ剤としては、例えば、第３リン酸ナトリウム、同カリウム、同アンモニウム、硼酸ナトリウム、同カリウム、同アンモニウム、水酸化ナトリウム、同カリウム、同アンモニウム、及び同リチウムなどの無機アルカリ剤及び、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、ｎ−ブチルアミン、モノエタノールアミン、ジエタノールアミン、トリエタノールアミン、モノイソプロパノールアミン、ジイソプパノールアミン、エチレンイミン、エチレンジアミン、ピリジン、テトラメチルアンモニウムヒドロキシドなどの有機アルカリ剤等が挙げられる。本発明においては、これらを単独で用いてもよいし、若しくは２種以上を組み合わせて混合して用いてもよい。
【００８５】
また、上記以外のアルカリ剤として、アルカリ珪酸塩を挙げることができる。アルカリ珪酸塩は塩基と組み合わせて使用してもよい。使用するアルカリ珪酸塩としては、水に溶解したときにアルカリ性を示すものであって、例えば、珪酸ナトリウム、珪酸カリウム、珪酸リチウム、珪酸アンモニウムなどがある。これらのアルカリ珪酸塩は１種単独でも、２種以上を組み合わせて用いてもよい。
【００８６】
本発明に用いられる現像液は、印刷版やダミー版の支持体の親水化成分としての珪酸塩の成分である酸化ケイ素ＳｉＯ2と、アルカリ成分としてのアルカリ酸化物Ｍ2Ｏ（Ｍはアルカリ金属又はアンモニウム基を表す）との混合比率、及び濃度の調整により、最適な範囲に容易に調節することができる。酸化ケイ素ＳｉＯ2とアルカリ酸化物Ｍ2Ｏとの混合比率（ＳｉＯ2／Ｍ2Ｏのモル比）は、支持体の陽極酸化皮膜が過度に溶解（エッチング）されることに起因する放置汚れや、溶解アルミと珪酸塩との錯体形成に起因する不溶性ガスの発生を抑制するといった観点から、好ましくは０．７５〜４．０の範囲であり、より好ましくは０．７５〜３．５の範囲で使用される。
【００８７】
また、現像液中のアルカリ珪酸塩の濃度としては、支持体の陽極酸化皮膜の溶解（エッチング）抑制効果、現像性、沈殿や結晶生成の抑制効果、及び廃液時における中和の際のゲル化防止効果などの観点から、現像液の質量に対して、ＳｉＯ2量として、０．０１〜１ｍｏｌ／Ｌが好ましく、より好ましくは０．０５〜０．８ｍｏｌ／Ｌの範囲で使用される。
【００８８】
本発明における現像液には、上記の成分の他に、必要に応じて以下のような成分を併用することができる。例えば安息香酸、フタル酸、ｐ−エチル安息香酸、ｐ−ｎ−プロピル安息香酸、ｐ−イソプロピル安息香酸、ｐ−ｎ−ブチル安息香酸、ｐ−ｔ−ブチル安息香酸、ｐ−ｔ−ブチル安息香酸、ｐ−２−ヒドロキシエチル安息香酸、デカン酸、サリチル酸、３−ヒドロキシ−２−ナフトエ酸等の有機カルボン酸；イソプロピルアルコール、ベンジルアルコール、エチルセロソルブ、ブチルセロソルブ、フェニルセロソルブ、プロピレングリコール、ジアセトンアルコール等の有機溶剤；この他、還元剤、染料、顔料、硬水軟化剤、防腐剤等が挙げられる。
【００８９】
本発明における現像液は、２５℃におけるｐＨが１０〜１２．５の範囲であることが好ましく、ｐＨ１１〜１２．５の範囲であることがより好ましい。本発明の現像液は、前記界面活性剤を含むため、このような低ｐＨの現像液を用いても、非画像部において優れた現像性を発現する。このように、現像液のｐＨを比較的低い値とすることにより、現像時における画像部へのダメージを軽減すると共に、現像液の取扱い性にも優れる。
【００９０】
また、該現像液の導電率ｘは、２＜ｘ＜３０ｍＳ／ｃｍであることが好ましく、５〜２５ｍＳ／ｃｍであることがより好ましい。
ここで、導電率を調整するための導電率調整剤として、有機酸のアルカリ金属塩類、無機酸のアルカリ金属塩類等を添加することが好ましい。
【実施例】
【００９１】
以下、実施例に基づいて、本発明の顕著な効果を説明するが、本発明の範囲はこれらの実施例に限定されない。
（実施例１〜４、比較例）
感光性平版印刷原版ＬＰ−ＮＮ２（富士写真フィルム（株）社製フォトポリマー版材）、感光性平版印刷原版ＨＮ−Ｎ（富士写真フィルム（株）社製サーマル版材）、ダミー版原版ＨＮ−Ｋ（富士写真フィルム（株）社製ダミー版材）を用いて、図４−Ｂに記述した現像処理装置ＯＥ４０（Ｈａａｓｅ社製）を用い、別搬送系を取り付け評価した、現像液ＤＶ−２（富士写真フィルム（株）社製フォトポリマー現像液）を１：４に水で希釈し投入した。現像液温度を２５度に保ち、現像速度１．８ｍ／分で現像処理を行った。プレ水洗部、水洗部には水を投入した。フィニッシング部には、富士写真フィルム（株）社製フィニッシャーＦＰ−２Ｗ（１：１に水で希釈）を投入し、フィニッシング処理した。下記表１に工程処理内容を示す。表１において、処理が「有り」の場合の基本搬送速度を１．８ｍ／分とし、「無し」の場合の別搬送速度を２．４ｍ／分とした。また、下記表２に各工程でかかった処理時間を示す。
【００９２】
【表１】
2006065169.tif 000009
【００９３】
【表２】
2006065169.tif 000010
【００９４】
以上から、各工程を処理する比較例に比べ、本発明の別搬送系を使用すると、実施例１の各工程を処理しない場合、２１，７４秒短縮できる。実施例２は、プレ加熱、プレ水洗を省略した場合８．８４秒短縮、実施例３は、プレ加熱を省略した場合４．７９秒短縮でき、実施例４は、フィニッシャー、乾燥を省略した場合３．０７秒短縮できる。このように、本発明の別搬送系を使用すると処理時間が短縮出来る。更に、処理方式の違う版材処理が可能。更に目的の工程だけの処理が可能となる。
【００９５】
以上に説明したように、本発明の別搬送系を使用すると、処理方式の違う版材処理が可能となり、更に処理時間が短縮できる。
【図面の簡単な説明】
【００９６】
【図１】本発明に係るＣＴＰ製版システムの一実施形態の概略構成を示す斜視図である。
【図２】図１に示すＣＴＰ製版システムにおける加熱オーブンの概略構成を示す縦断面図である。
【図３】ＣＴＰ製版システムの自動現像機（プレ水洗なし）の概略構成を示す縦断面図である。
【図４】本発明に係る自動現像機（加熱部、プレ水洗あり）の概略構成を示す縦断面図である。
【図５】図４に示す自動現像機の処理の流れを概略的に示したブロック図である。
【符号の説明】
【００９７】
１、６０  自動現像機
１０  プレートセッター
１１  加熱部
１２  プレ水洗部
１３  現像部
１４  水洗部
１５  ガム部
１６  乾燥部
２１，２３  経路切換部
２２  コンベア
４０  加熱オーブン
４６  搬送手段
４８  モータ駆動部
５１  制御部
６１  現像部
６３  水洗部
６５  フィニッシャー部
６７  乾燥部
６８  センサ
７２  搬送手段
７６  搬送ローラ
７８  モータ駆動部
８０  制御部
９１  乾燥手段
９５  制御装置
１００  ＣＴＰ製版システム
【図１】
2006065169.tif 000011
【図２】
2006065169.tif 000012
【図３】
2006065169.tif 000013
【図４】
2006065169.tif 000014
【図５】
2006065169.tif 000015